(57)【要約】      （修正有）【課題】ソーラーシステム制御方法および装置、セントラルコントローラー並びにソーラーシステムを提供する。【解決手段】ソーラーシステムの制御方法は、セントラルコントローラーが外部制御システムから送信されたアセンブリ制御情報を受信することと、アセンブリ制御情報に基づいて、ジャンクションボックスに接続されたソーラーアセンブリに対してアセンブリ制御情報に対応する制御操作を実行することと、を含む。アセンブリ制御情報は、ソーラーアセンブリに対するアセンブリターンオフ命令、アセンブリクローズ命令、状態問合せ命令または異常検出命令を含む。【選択図】図４
2019213439.tif 000002
【特許請求の範囲】
【請求項１】
外部制御システムから送信されたアセンブリ制御情報を受信することと、
前記アセンブリ制御情報に基づいて、ジャンクションボックスに接続されたソーラーアセンブリに対して前記アセンブリ制御情報に対応する制御操作を実行することと、を含む、
ソーラーシステム制御方法。
【請求項２】
前記アセンブリ制御情報に基づいて、ジャンクションボックスに接続されたソーラーアセンブリに対して前記アセンブリ制御情報に対応する制御操作を実行することは、
前記アセンブリ制御情報を解析し、前記アセンブリ制御情報に対応する制御待ちアセンブリを確定することと、
前記制御待ちアセンブリに関連付けられたジャンクションボックスを通じて前記制御待ちアセンブリに対して前記アセンブリ制御情報に対応する制御操作を実行することと、を含む、
請求項１記載の方法。
【請求項３】
前記アセンブリ制御情報は、ソーラーアセンブリに対するアセンブリターンオフ命令、アセンブリクローズ命令、状態問合せ命令または異常検出命令を含む、
請求項１または２記載の方法。
【請求項４】
前記アセンブリ制御情報はアセンブリターンオフ命令であり、前記アセンブリ制御情報に基づいて、ジャンクションボックスに接続されたソーラーアセンブリに対して前記アセンブリ制御情報に対応する制御操作を実行することは、
前記アセンブリターンオフ命令に基づいて、前記アセンブリターンオフ命令に対応するターンオフ待ちアセンブリを確定することと、
前記ターンオフ待ちアセンブリに接続されたジャンクションボックスへターンオフ指令を送信することにより、該ジャンクションボックスの前記ターンオフ待ちアセンブリとの接続を切断することと、を含み、
または、前記アセンブリ制御情報はアセンブリクローズ命令であり、これに応じて、前アセンブリ制御情報に基づいて、ジャンクションボックスに接続されたソーラーアセンブリに対して前記アセンブリ制御情報に対応する制御操作を実行することは、
前記アセンブリクローズ命令に基づいて、前記アセンブリクローズ命令に対応するクローズ待ちアセンブリを確定することと、
前記クローズ待ちアセンブリの所属するジャンクションボックスへクローズ指令を送信することにより、該ジャンクションボックスと前記クローズ待ちアセンブリとの接続をターンオンすることと、を含む、
請求項３記載の方法。
【請求項５】
前記アセンブリ制御情報はアセンブリターンオフ命令であり、前記アセンブリターンオフ命令は消防標識を含み、前記外部制御システムは消防システムであり、これに応じて、前記アセンブリ制御情報に基づいて、ジャンクションボックスに接続されたソーラーアセンブリに対して前記アセンブリ制御情報に対応する制御操作を実行することは、
前記消防標識に基づいて、前記アセンブリターンオフ命令に対応するターンオフ待ちアセンブリは全部のソーラーアセンブリであると確定することと、
すべてのジャンクションボックスが各自に接続されたすべてのソーラーアセンブリを切断するよう、すべてのジャンクションボックスへターンオフ指令を送信することと、を含む、
請求項４記載の方法。
【請求項６】
ローカルターンオフボタンをリアルタイムモニタリングすることと、
前記ローカルターンオフボタンに誘発されたアセンブリターンオフイベントを検知したとき、すべてのジャンクションボックスが各自に接続されたすべてのソーラーアセンブリを切断するよう、すべてのジャンクションボックスへターンオフ指令を送信することと、をさらに含む、
請求項１〜５のいずれか１項に記載の方法。
【請求項７】
前記アセンブリ制御情報は状態問合せ命令であり、これに応じて、前記アセンブリ制御情報に基づいて、ジャンクションボックスに接続されたソーラーアセンブリに対して前記アセンブリ制御情報に対応する制御操作を実行することは、
前記状態問合せ命令に基づいて、前記状態問合せ命令に対応する問合せ待ちアセンブリを確定することと、
前記問合せ待ちアセンブリに関連付けられたジャンクションボックスから前記問合せ待ちアセンブリに対応するアセンブリ状態データを取得することと、
前記アセンブリ状態データを前記外部制御システムへ送信することと、を含む、
請求項３記載の方法。
【請求項８】
各ジャンクションボックスからアセンブリ状態データを周期的に取得することと、
前記アセンブリ状態データをローカルデータベースに記憶し、前記アセンブリ状態データを前記外部制御システムへアップロードすることと、をさらに含む、
請求項１〜７のいずれか１項に記載の方法。
【請求項９】
前記アセンブリ制御情報は異常検出命令であり、これに応じて、前記アセンブリ制御情報に基づいて、ジャンクションボックスに接続されたソーラーアセンブリに対して前記アセンブリ制御情報に対応する制御操作を実行することは、
前記異常検出命令に基づいて、前記異常検出命令に対応する検出待ちアセンブリを確定することと、
前記検出待ちアセンブリに接続されたジャンクションボックスへ検出指令を送信することにより、該ジャンクションボックスが前記検出待ちアセンブリの異常検出を行うことと、
前記検出待ちアセンブリに接続された前記ジャンクションボックスから異常検出結果を取得し、前記異常検出結果を前記外部制御システムへ送信することと、を含む、
請求項３記載の方法。
【請求項１０】
各ジャンクションボックスに接続されたソーラーアセンブリに対して異常検出を周期的に行うことと、
異常警報情報を検出したとき、前記異常警報情報をローカルデータベースに記憶し、前記異常警報情報を前記外部制御システムへアップロードすることと、をさらに含む、
請求項１〜９のいずれか１項に記載の方法。
【請求項１１】
前記外部制御システムはリモート制御システムを含み、
ネットワーク切替えボタンをリアルタイムモニタリングすることと、
前記ネットワーク切替えボタンに誘発されたリモートターンオフイベントを検知したとき、前記リモート制御システムとの通信接続を切断することと、
前記ネットワーク切替えボタンに誘発されたリモート起動イベントを検知したとき、前記リモート制御システムとの通信接続を回復することと、をさらに含む、
請求項１記載の方法。
【請求項１２】
外部制御システムから送信されたアセンブリ制御情報を受信する前記ステップの前に、
前記外部制御システムから送信されたネットワーク配置情報と同期情報を受信することと、
前記ネットワーク配置情報に基づいてネットワーキング配置を行うことと、
前記同期情報に基づいて前記外部制御システムと同期することと、をさらに含む、
請求項１〜１１のいずれか１項に記載の方法。
【請求項１３】
外部制御システムから送信されたアセンブリ制御情報を受信する受信モジュールと、
前記アセンブリ制御情報に基づいて、ジャンクションボックスに接続されたソーラーアセンブリに対して前記アセンブリ制御情報に対応する制御操作を実行する実行制御モジュールと、を含む、
ソーラーシステム制御装置。
【請求項１４】
前記アセンブリ制御情報はアセンブリターンオフ命令であり、前記アセンブリターンオフ命令は消防標識を含み、前記外部制御システムは消防システムであり、これに応じて、前記実行制御モジュールは、
前記消防標識に基づいて、前記アセンブリターンオフ命令に対応するターンオフ待ちアセンブリは全部のソーラーアセンブリであると確定するアセンブリ確定ユニットと、
すべてのジャンクションボックスが各自に接続されたすべてのソーラーアセンブリを切断するよう、すべてのジャンクションボックスへターンオフ指令を送信する消防ターンオフユニットと、を含む、
請求項１３記載の装置。
【請求項１５】
プロセッサとメモリを含み、前記メモリに少なくとも１つの実行可能指令を記憶し、請求項１〜１２のいずれか１項に記載のソーラーシステム制御方法により実行される操作を実現するよう、前記実行可能指令が前記プロセッサによりロードされ実行される、
セントラルコントローラー。
【請求項１６】
複数のソーラーアセンブリと少なくとも１つのジャンクションボックスを含み、各前記ジャンクションボックスは少なくとも１つの前記ソーラーアセンブリに接続され、請求項１５に記載のセントラルコントローラーをさらに含み、
前記セントラルコントローラーは前記少なくとも１つのジャンクションボックスに接続され、
前記セントラルコントローラーは外部制御システムと通信接続される、
ソーラーシステム。
【発明の詳細な説明】
【技術分野】
【０００１】
本願は、太陽エネルギー技術に関するがこれに限定されず、特にソーラーシステムの制御方法および装置、セントラルコントローラー、ソーラーシステムに関する。
【背景技術】
【０００２】
ＢＩＰＶ(Ｂｕｉｌｄｉｎｇ  Ｉｎｔｅｇｒａｔｅｄ  Ｐｈｏｔｏｖｌａｔｉｃ、建材一体型太陽光発電)は、ソーラー発電製品を建物に組み込む技術であり、ソーラーアセンブリを利用して建物に太陽エネルギーカーテンウオール、採光屋根などを組み込む。
【０００３】
現在、ＢＩＰＶ技術では通常建物の包囲保護構造の外表面にソーラー発電システムを取り付け、ソーラー発電システムにより太陽エネルギーを変換して電力を提供する。そのうち、ソーラー発電システムはソーラーアセンブリおよびジャンクションボックスを含み、若干のソーラーアセンブリが並列直列の接続により最終的にジャンクションボックスを通して収束されソーラー発電システムを形成する。
【０００４】
しかし、上記ソーラー発電システムのメンテナンスおよび点検修理は完全に人手に頼っており、システムメンテンナンスが難しく、かつシステムの安全性および信頼性が低い。
【発明内容】
【０００５】
本願は、ソーラーシステムの制御方法および装置、セントラルコントローラー、ソーラーシステムを提供する。以下は本文で詳細に説明するテーマの概略である。当該概略は請求項の請求範囲を限定するものではない。
【０００６】
第１の方面において、本願の実施例はソーラーシステム制御方法を提供し、前記方法は、
外部制御システムから送信されたアセンブリ制御情報を受信することと、
前記アセンブリ制御情報に基づいて、ジャンクションボックスに接続されたソーラーアセンブリに対して、前記アセンブリ制御情報に対応する制御操作を実行することと、を含む。
【０００７】
可能な実施形態において、前記アセンブリ制御情報に基づいて、ジャンクションボックスに接続されたソーラーアセンブリに対して前記アセンブリ制御情報に対応する制御操作を実行することは、
前記アセンブリ制御情報を解析し、前記アセンブリ制御情報に対応する制御待ちアセンブリを確定することと、
前記制御待ちアセンブリに関連付けられたジャンクションボックスを通じて、前記制御待ちアセンブリに対して前記アセンブリ制御情報に対応する制御操作を実行することと、を含む。
【０００８】
可能な実施形態において、前記アセンブリ制御情報は、ソーラーアセンブリに対するアセンブリターンオフ命令、アセンブリクローズ命令、状態問合せ命令または異常検出命令を含む。
【０００９】
可能な実施形態において、前記アセンブリ制御情報はアセンブリターンオフ命令であり、これに応じて、前記アセンブリ制御情報に基づいて、ジャンクションボックスに接続されたソーラーアセンブリに対して前記アセンブリ制御情報に対応する制御操作を実行することは、
前記アセンブリターンオフ命令に基づいて、前記アセンブリターンオフ命令に対応するターンオフ待ちアセンブリを確定することと、
前記ターンオフ待ちアセンブリに接続されたジャンクションボックスへターンオフ指令を送信することにより、当該ジャンクションボックスの前記ターンオフ待ちアセンブリとの接続を切断することと、を含み、
または、前記アセンブリ制御情報はアセンブリクローズ命令であり、これに応じて、前記アセンブリ制御情報に基づいて、ジャンクションボックスに接続されたソーラーアセンブリに対して前記アセンブリ制御情報に対応する制御操作を実行することは、
前記アセンブリクローズ命令に基づいて、前記アセンブリクローズ命令に対応するクローズ待ちアセンブリを確定することと、
前記クローズ待ちアセンブリの所属するジャンクションボックスへクローズ指令を送信することにより、当該ジャンクションボックスと前記クローズ待ちアセンブリとの接続をターンオンすることと、を含む。
【００１０】
可能な実施形態において、前記アセンブリ制御情報はアセンブリターンオフ命令であり、前記アセンブリターンオフ命令は消防標識を含み、前記外部制御システムは消防システムであり、これに応じて、前記アセンブリ制御情報に基づいて、ジャンクションボックスに接続されたソーラーアセンブリに対して前記アセンブリ制御情報に対応する制御操作を実行することは、
前記消防標識に基づいて、前記アセンブリターンオフ命令に対応するターンオフ待ちアセンブリは、全部のソーラーアセンブリであると確定することと、
すべてのジャンクションボックスが各自に接続されたすべてのソーラーアセンブリを切断するよう、すべてのジャンクションボックスへターンオフ指令を送信することと、を含む。
【００１１】
可能な実施形態において、前記方法は、
ローカルターンオフボタンに対してリアルタイムモニタリングすることと、
前記ローカルターンオフボタンに誘発されたアセンブリターンオフイベントを検知したとき、すべてのジャンクションボックスが各自に接続されたすべてのソーラーアセンブリを切断するよう、すべてのジャンクションボックスへターンオフ指令を送信することと、をさらに含む。
【００１２】
可能な実施形態において、前記アセンブリ制御情報は状態問合せ命令であり、これに応じて、前記アセンブリ制御情報に基づいて、ジャンクションボックスに接続されたソーラーアセンブリに対して前記アセンブリ制御情報に対応する制御操作を実行することは、
前記状態問合せ命令に基づいて、前記状態問合せ命令に対応する問合せ待ちアセンブリを確定することと、
前記問合せ待ちアセンブリに関連付けられたジャンクションボックスから前記問合せ待ちアセンブリに対応するアセンブリ状態データを取得することと、
前記アセンブリ状態データを前記外部制御システムへ送信することと、をさらに含む。
【００１３】
可能な実施形態において、前記方法は、
各ジャンクションボックスからアセンブリ状態データを周期的に取得することと、
前記アセンブリ状態データをローカルデータベースに記憶し、前記アセンブリ状態データを前記外部制御システムへアップロードすることと、をさらに含む。
【００１４】
可能な実施形態において、前記アセンブリ制御情報は異常検出命令であり、これに応じて、前記アセンブリ制御情報に基づいて、ジャンクションボックスに接続されたソーラーアセンブリに対して前記アセンブリ制御情報に対応する制御操作を実行することは、
前記異常検出命令に基づいて、前記異常検出命令に対応する検出待ちアセンブリを確定することと、
前記検出待ちアセンブリに接続されたジャンクションボックスへ検出指令を送信することにより、該ジャンクションボックスが前記検出待ちアセンブリの異常検出を行うことと、
前記検出待ちアセンブリに接続された前記ジャンクションボックスから異常検出結果を取得し、前記異常検出結果を前記外部制御システムへ送信することと、を含む。
【００１５】
可能な実施形態において、前記方法は、
各ジャンクションボックスに接続されたソーラーアセンブリに対して異常検出を周期的に行うことと、
異常警報情報を検出したとき、前記異常警報情報をローカルデータベースに記憶し、前記異常警報情報を前記外部制御システムへアップロードすることと、をさらに含む。
【００１６】
可能な実施形態において、前記外部制御システムはリモート制御システムを含み、前記方法は、
ネットワーク切替えボタンに対してリアルタイムモニタリングすることと、
前記ネットワーク切替えボタンに誘発されたリモートターンオフイベントを検知したとき、前記リモート制御システムとの通信接続を切断することと、
前記ネットワーク切替えボタンに誘発されたリモート起動イベントを検知したとき、前記リモート制御システムとの通信接続を回復することと、をさらに含む。
【００１７】
可能な実施形態において、外部制御システムから送信されたアセンブリ制御情報を受信する前記ステップの前に、
前記外部制御システムから送信されたネットワーク配置情報と同期情報を受信することと、
前記ネットワーク配置情報に基づいてネットワーキング配置を行うことと、
前記同期情報に基づいて前記外部制御システムと同期することと、をさらに含む。
【００１８】
第２の方面において、本願の実施例はソーラーシステム制御装置を提供し、前記装置は、
外部制御システムから送信されたアセンブリ制御情報を受信する受信モジュールと、
前記アセンブリ制御情報に基づいて、ジャンクションボックスに接続されたソーラーアセンブリに対して、前記アセンブリ制御情報に対応する制御操作を実行する実行制御モジュールと、を含む。
【００１９】
可能な実施形態において、前記アセンブリ制御情報はアセンブリターンオフ命令であり、前記アセンブリターンオフ命令は消防標識を含み、前記外部制御システムは消防システムであり、これに応じて、前記実行制御モジュールは、
前記消防標識に基づいて、前記アセンブリターンオフ命令に対応するターンオフ待ちアセンブリは全部のソーラーアセンブリであると確定するアセンブリ確定ユニットと、
すべてのジャンクションボックスが各自に接続されたすべてのソーラーアセンブリを切断するよう、すべてのジャンクションボックスへターンオフ指令を送信する消防ターンオフユニットと、を含む。
【００２０】
第３の方面において、本願の実施例が提供するプロセッサとメモリを含むセントラルコントローラーは、前記メモリに少なくとも１つの実行可能指令を記憶し、前記第１の方面または第１の方面の任意の実施形態に記載のソーラーシステム制御方法により実行される操作を実現するよう、前記実行可能指令が前記プロセッサによりロードされ実行される。
【００２１】
第４の方面において、本願の実施例が提供するソーラーシステムは、複数のソーラーアセンブリと少なくとも１つのジャンクションボックスを含み、各前記ジャンクションボックスは、少なくとも１つの前記ソーラーアセンブリに接続され、前記第３の方面に記載のセントラルコントローラーをさらに含み、
前記セントラルコントローラーは、前記少なくとも１つのジャンクションボックスに接続され、
前記セントラルコントローラーは外部制御システムと通信接続される。
【００２２】
前記概略を閲読し図面と詳細な説明を理解すれば、本願の請求範囲に含まれる他の方面も明らかとなろう。
【図面の簡単な説明】
【００２３】
本願の実施例における技術案をより明確に説明するために、実施例の説明に必要な図面を以下の通り簡単に紹介するが、以下で説明する図面が本願の一部の実施例に過ぎず、これらの図面の合理的な変形も本願の請求範囲に含まれることは明らかである。
【図１】本願の実施例が提供するソーラーシステムの構成概略図である。
【図２】本願の実施例が提供する別のソーラーシステムの構成概略図である。
【図３】本願の実施例が提供するセントラルコントローラーのモジュールを示す概略図である。
【図４】本願の別の実施例が提供するソーラーシステム制御方法を示すフローチャートである。
【図５】本願の別の実施例が提供する消防システムがソーラーアセンブリに対してターンオフ制御を行うフローチャートである。
【図６】本願のもうひとつの実施例が提供するソーラーシステム制御装置の構成概略図である。
【図７】本願のさらに別の実施例が提供する別のソーラーシステム制御装置の構成概略図である。
【発明を実施するための形態】
【００２４】
本願の目的、技術案とメリットをより明確にするために、以下のとおり、図面を参照しながら本願の実施形態についてより詳しく説明する。
【００２５】
以下で説明する実施例は本願の一部の実施例であり、全部の実施例ではないことは明らかである。説明した本願の実施例に基づいて、当業者が創造力を働かせずに得た他の実施例は、すべて本願の請求する範囲に含まれる。
【００２６】
別途定義しない限り、本願で使用する技術用語または科学用語は、本願の分野における当業者が理解する通常の意味を有する。
【００２７】
本願で使用する「第１の」、「第２の」および類似する用語は何らかの順序、数量または重要性を示すものではなく、ただ異なる構成部分を区別するために用いるにすぎない。「含む」または類似する用語は、当該単語の前に記載されたエレメント、または部品が当該単語の後に列挙されたエレメント、または部品およびその均等物を含むことを示すが、他のエレメントまたは部品を除外しない。「接続」または「繋ぐ」などの類似用語は物理的、または機械的な接続に限定されるものではなく、電気接続または通信接続を含むことができ、かつ当該接続は直接的または間接的であってよい。
【００２８】
現在、ＢＩＰＶ技術において、建物周囲のソーラー発電システムはソーラーアセンブリおよびジャンクションボックスを自動制御できず、システムメンテナンスおよび点検修理は完全に人手に頼っており、システムメンテナンスが難しく、システムの安全性や信頼性が低い。そこで、本願はソーラーシステムの制御方法および装置、セントラルコントローラー、ソーラーシステムを提供し、実施例を組み合わせて以下の通り具体的に説明する。
【００２９】
図１を参照すると、本願の実施例はソーラーシステムを提供し、当該ソーラーシステムは複数のソーラーアセンブリ１０と、少なくとも１つのジャンクションボックス１３と、セントラルコントローラー１１とを含み、各ジャンクションボックス１３は少なくとも１つのソーラーアセンブリ１０に接続され、セントラルコントローラー１１は各ジャンクションボックス１３に接続され、セントラルコントローラー１１は外部制御システムと通信接続される。
【００３０】
ソーラーアセンブリの数が膨大である応用場面に比べ、図１に示したソーラーシステムはソーラーアセンブリの規模が比較的小さい応用場面、例えば、ソーラーシステムにおけるジャンクションボックス１３の数が１００より少ない場面に一層適している。ソーラーアセンブリの数が膨大である場面では、ジャンクションボックス１３の数もこれに応じて多くなり、セントラルコントローラー１１を経由してすべてのジャンクションボックス１３を直接接続すれば、セントラルコントローラー１１が処理を必要とするデータ量も非常に多くなり、システム全体の通信効率に深刻な影響を与えてしまう。このため、図２に示すように、ソーラーアセンブリの数が膨大である場面において、本願の実施例ではソーラーシステムに少なくとも１つのローカルゲートウェイ１２を増設し、各ローカルゲートウェイ１２は、セントラルコントローラー１１および少なくとも１つのジャンクションボックス１３とそれぞれ接続される。ソーラーシステムにおけるジャンクションボックス１３の数が多い場合、ローカルゲートウェイ１２によりジャンクションボックス１３を組分けし、セントラルコントローラー１１は、数が比較的に少ないローカルゲートウェイ１２と通信するだけで、すべてのジャンクションボックス１３およびすべてのソーラーアセンブリ１０に対する制御を実現できる。
【００３１】
本願の実施例は、主に図２に示したソーラーシステムのフレームワークをベースとして記載し、セントラルコントローラー１１がソーラーアセンブリに関連付けられたローカルゲートウェイ１２およびジャンクションボックス１３をこの順で経由して、ソーラーアセンブリに対する制御を実現することを説明する。図１に示したソーラーシステムと、図２に示したソーラーシステムのアセンブリ制御プロセスの相違は、図１に示したソーラーシステムにおけるセントラルコントローラー１１は、ジャンクションボックス１３へ制御指令を直接送信するのに対して、図２に示したソーラーシステムにおけるセントラルコントローラー１１は、ローカルゲートウェイ１２を経てジャンクションボックス１３へ制御指令を転送することにある。
【００３２】
外部制御システムはリモート制御システムとローカル制御システムを含む。そのうち、リモート制御システムはインターネットを通した接続が必要なシステムであり、例えば、サーバクラスター３０、ユーザ端末４０などである。ローカル制御システムは当該ソーラーシステムを取り付ける場所自体が備えるシステムであり、例えば、消防システム２０、モニタリングシステムなどである。サーバクラスター３０はイーサネット（登録商標）により接続される複数の物理サーバからなってもよいし、クラウドサーバの形で実現されてもよい。消防システム２０は、ソーラーシステムを取り付ける建物内の火災問題処理用回路システムであってもよい。
【００３３】
そのうち、セントラルコントローラー１１はインターネットを通じて、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ、トランスミッションコントロールプロトコル／インターネットプロトコル）、ＭＱＴＴ（Ｍｅｓｓａｇｅ  Ｑｕｅｕｉｎｇ  Ｔｅｌｅｍｅｔｒｙ  Ｔｒａｎｓｐｏｒｔ、メッセージキューイングテレメトリートランスポート）、ＣＯＡＰ（Ｃｏｎｓｔｒａｉｎｅｄ  Ａｐｐｌｉｃａｔｉｏｎ  Ｐｒｏｔｏｃｏｌ）などのプロトコルに基づいてサーバクラスター３０およびユーザ端末４０などのリモート制御システムと通信接続され、セントラルコントローラー１１とリモートサーバ、またはユーザ端末４０などのリモート制御システムとの通信接続を通じて、ソーラーシステムに対するリモート自動制御を実現する。
【００３４】
セントラルコントローラー１１は、ＲＳ−４８５バスまたはＬｏｎ  Ｗｏｒｋｓバスを通じて、消防システム２０またはモニタリングシステムなどのローカル制御システムと通信接続され、消防システム２０またはモニタリングシステムなどのローカル制御システムとのデータ通信を実現して、火災または地震災害などの状況が生じた場合、消防システム２０を通じてソーラーシステムに含まれる、すべてのソーラーアセンブリ１０を速みやかにターンオフし、送電網に接続されたソーラーアセンブリ１０による高電圧に起因する人の感電を防止する。
【００３５】
図２に示したソーラーシステムにおいて、セントラルコントローラー１１は、ＲＳ−４８５バスまたはＬｏＲａ無線データ伝送技術を通じて、各ローカルゲートウェイ１２と通信接続され、ローカルゲートウェイ１２との間にスター型ネットワーク構造、またはバス型ネットワーク構造を形成する。各ジャンクションボックス１３のいずれもローカルゲートウェイ１２と通信接続され、ジャンクションボックス１３とローカルゲートウェイ１２との通信接続は、Ｚｉｇｂｅｅ（登録商標）プロトコルまたはＲＳ−４８５バスなどに基づく方式を用いた接続であってもよい。図２に３つのローカルゲートウェイ１２を例示的に示したが、これら３つのローカルゲートウェイ１２は、２つ、１つおよび３つのジャンクションボックス１３とそれぞれ通信接続される。
【００３６】
図１に示したソーラーシステムにおいて、セントラルコントローラー１１は、ＲＳ−４８５バスまたはＬｏＲａ無線データ伝送技術を通じて、各ジャンクションボックス１３と通信接続され、ジャンクションボックス１３との間にスター型ネットワーク構造、またはバス型ネットワーク構造を形成する。図１には６つのジャンクションボックス１３、およびそのうちの１つのジャンクションボックス１３が３つの直列接続されたソーラーアセンブリ１０と接続される様子を例示的に示した。
【００３７】
また、図１と２に示したように、セントラルコントローラー１１はさらにインバータ１４に通信接続され、リモートサーバまたはユーザ端末によるインバータ１４に対するリモート自動制御を実現できる。セントラルコントローラー１１は組み込みＬｉｎｕｘ（登録商標）に基づいて設計され、体積が小さく、安定性がよく、豊かなネットワーク機能を有しており、現場のネットワーク環境に一層容易に適応でき、配置もより柔軟である。
【００３８】
本願の実施例で用いるジャンクションボックス１３は、いずれもインテリジェントジャンクションボックスであり、ローカルゲートウェイ１２またはセントラルコントローラー１１が発する制御指令を受信し、制御指令に対応する制御操作を実行することができる。例えば、ジャンクションボックス１３は、ローカルゲートウェイ１２が発するターンオフ指令を受信し、当該ジャンクションボックス１３と関連付けられたソーラーアセンブリ１０との間の電気接続を切断する。
【００３９】
図２に示したソーラーシステムにおいて、セントラルコントローラー１１と、ローカルゲートウェイ１２と、ジャンクションボックス回路１３との間の通信リンク、およびセントラルコントローラー１１と、インバータ１４との間の通信リンクをダウンリンク通信リンクと呼ぶ。図１に示したソーラーシステムにおいて、セントラルコントローラー１１とジャンクションボックス回路１３との間の通信リンク、およびセントラルコントローラー１１とインバータ１４との間の通信リンクをダウンリンク通信リンクと呼ぶ。図１と図２に示したソーラーシステムにおいて、セントラルコントローラー１１と消防システム２０、サーバクラスター３０、インターネットまたはユーザ端末４０との間の通信リンクをアップリンク通信リンクと呼ぶ。ダウンリンク通信リンクおよびアップリンク通信リンクを通じて、ソーラーシステムと外部制御システムとの双方向通信接続が実現される。
【００４０】
図３に示したセントラルコントローラー１１のブロック構成図のように、当該セントラルコントローラー１１はアップリンク通信モジュール１１１、ダウン通信リンクモジュール１１２、ローカル制御モジュール１１３とデータアクセスモジュール１１４を含む。
【００４１】
１つの例において、セントラルコントローラー１１に対応するデータベースを配置し、上記データアクセスモジュール１１４は当該データベース内のすべてのデータの記憶と取得を行う。当該データベース内にはシステム構成リスト、セントラルコントローラー属性テーブル、ローカルゲートウェイ属性テーブル、ジャンクションボックス回路属性テーブル、インバータ属性テーブル、システム配置パラメータ、アセンブリ状態データ、異常状態情報、操作ログのうちの少なくとも１つを記憶できる。そのうち、システム構成リストはセントラルコントローラー、ローカルゲートウェイ、ジャンクションボックス回路とインバータなどのデバイスのデバイス標識を記憶すること、およびこれらのデバイス間の関係情報を記憶することに用いられる。ソーラーシステムにローカルゲートウェイ１２を含まない場合、セントラルコントローラー１１のデータベースにローカルゲートウェイ属性テーブルを記憶せず、かつシステム構成リストにローカルゲートウェイのデバイス標識およびローカルゲートウェイと他のデバイス間との関係情報を記録しない。
【００４２】
アップリンク通信モジュール１１１は主に消防システム２０、サーバクラスター３０およびユーザ端末４０などの外部制御システムとインタラクションを行い、セントラルコントローラー１１内部の他のモジュールとインタラクションできる。アップリンク通信モジュール１１１は、イーサネット通信インタフェース、消防システム２０にフィットするＲＳ−４８５通信インタフェースおよび内部モジュール間の通信インタフェースを含み、従って、ポイントツーポイント通信の方式で上記の任意のインタラクションを実現できる。
【００４３】
図２に示したソーラーシステムにおいて、ダウンリンク通信モジュール１１２は主にローカルゲートウェイ１２とのインタラクション、またはローカルゲートウェイ１２およびインバータ１４とのインタラクション、またはインバータ１４とのインタラクションを行い、セントラルコントローラー１１内部の他のモジュールとインタラクションする。ダウンリンク通信モジュール１１２は、ローカルゲートウェイ１２にフィットするＲＳ−４８５通信インタフェース、ＬｏＲａ通信インタフェースおよび内部モジュール間の通信インタフェースを含み、ポイントツーポイント通信とポイントツーマルチポイント通信、例えば、ユニキャストポーリングと重複ブロードキャストを実現できる。図１に示したソーラーシステムにおいて、ダウンリンク通信モジュール１１２は主にジャンクションボックス１３（と／またはインバータ１４）とのインタラクションを行い、セントラルコントローラー１１内部の他のモジュールとインタラクションする。その上、ダウンリンク通信モジュール１１２は、ジャンクションボックス１３にフィットするＲＳ−４８５通信インタフェース、ＬｏＲａ通信インタフェース、および内部モジュール間の通信インタフェースを含み、ポイントツーポイント通信とポイントツーマルチポイント通信を実現できる。
【００４４】
ローカル制御モジュール１１３は、セントラルコントローラー１１に直接繋がれたユーザ入力デバイスからの操作指令を主に処理し、ユーザ入力デバイスはボタン、タッチスクリーン、キーボードであってもよく、これによりユーザは、直接これらのユーザ入力デバイスを通じて手動でセントラルコントローラー１１を操作して、必要な応用機能を実現できる。
【００４５】
ソーラーシステムをＢＩＰＶ建物に取り付けた後、ソーラーシステムに対してパラメータ設置およびネットワーク設置などの初期化配置を行う必要がある。図２に示したソーラーシステムを例として説明する。サーバクラスター３０またはユーザ端末４０などの外部制御システムを通じて、ネットワーク配置情報をセントラルコントローラー１１へ送信し、当該ネットワーク配置情報は、セントラルコントローラー１１に対応するセントラルコントロール配置情報、各ローカルゲートウェイ１２に対応するゲートウェイ配置情報、および各ジャンクションボックス１３に対応するジャンクションボックス配置情報を含む。そのうち、セントラルコントロール配置情報は第１のアドレス情報、第１のネットワークパラメータ情報および第２のネットワークパラメータ情報を含む。第１のアドレス情報は、ソーラーシステムに含まれるゲートウェイ数、ジャンクションボックス数、各ローカルゲートウェイ１２のゲートウェイアドレス、各ジャンクションボックス１３のジャンクションボックスアドレス、およびローカルゲートウェイ１２とジャンクションボックス１３との間の従属関係情報を含む。上記第１のネットワークパラメータ情報は、セントラルコントローラー１１とローカルゲートウェイ１２との間をネットワーキングするのに必要なネットワークパラメータであり、第２のネットワークパラメータ情報は、ローカルゲートウェイ１２とジャンクションボックス１３との間をネットワーキングするのに必要なネットワークパラメータである。
【００４６】
セントラルコントローラー１１は上記ネットワーク配置情報を受信した後、まずネットワーク配置情報に含まれるセントラルコントロール配置情報に基づいて、自身の初期化プロセスを完成する。セントラルコントローラー１１の初期化プロセスは、セントラルコントローラー１１が上記第１のアドレス情報を固定フォーマットとして解析し、セントラルコントローラー１１のローカルデータベースに永久に保存することと、セントラルコントローラー１１自身が上記第１のネットワークパラメータの配置を完成してから、第１のネットワークパラメータおよび第２のネットワークパラメータを固定フォーマットとして解析し、セントラルコントローラー１１のローカルデータベースに永久に保存することを含む。
【００４７】
セントラルコントローラー１１は、上記第１のネットワークパラメータの配置を完成した後に、各ローカルゲートウェイ１２との通信接続を構築する。各ローカルゲートウェイ１２に関して、セントラルコントローラー１１は、ローカルゲートウェイ１２に対応するゲートウェイ配置情報、および該ローカルゲートウェイ１２に接続されたすべてのジャンクションボックス１３に対応する、ジャンクションボックス配置情報を該ローカルゲートウェイ１２へ送信する。上記ゲートウェイ配置情報は第２のアドレス情報、該ローカルゲートウェイ１２とセントラルコントローラー１１との間をネットワーキングするのに必要な第３のネットワークパラメータ、該ローカルゲートウェイ１２に従属するすべてのジャンクションボックス１３と、該ローカルゲートウェイ１２との間をネットワーキングするのに必要な第４ネットワークパラメータを含む。そのうち、第２のアドレス情報は、該ローカルゲートウェイ１２に従属するジャンクションボックスの数、および従属する各ジャンクションボックスのジャンクションボックスアドレスを含む。該ローカルゲートウェイ１２は、上記ゲートウェイ配置情報を受信した後に上記第２のアドレス情報を記憶し、上記第３のネットワークパラメータおよび第４のネットワークパラメータに基づいて、該ローカルゲートウェイ１２自身の配置プロセスを完成し、従属する各ジャンクションボックス１３に対応する、第４ネットワークパラメータを対応のジャンクションボックス１３へ送信することにより、従属する各ジャンクションボックス１３に自身の配置プロセスを完成させる。
【００４８】
ソーラーシステムに含まれる各ローカルゲートウェイ１２に関して、すべて上記方法を通じて、各ローカルゲートウェイ１２の自動配置、およびローカルゲートウェイ１２に従属する各ジャンクションボックス１３の自動配置をそれぞれ完成する。セントラルコントローラー１１、各ローカルゲートウェイ１２および各ジャンクションボックス１３がいずれも初期化配置を完成すると、ソーラーシステム全体が通信レベルで自動ネットワーキングを実現する。
【００４９】
ソーラーシステムの初期化プロセスにおいては、さらにジャンクションボックス１３、ローカルゲートウェイ１２、セントラルコントローラー１１に対し、外部制御システムとの時間同期を行う必要がある。具体的な同期プロセスは、サーバクラスター３０またはユーザ端末４０などの外部制御システムによりセントラルコントローラー１１へ同期情報を送信するというものであり、該同期情報は外部制御システムのシステム時間を含む。セントラルコントローラー１１は該同期情報を受信した後、自身の現在システム時間を該同期情報に含まれるシステム時間へ調節し、同時にセントラルコントローラー１１は該同期情報を各ローカルゲートウェイ１２へ発する。ローカルゲートウェイ１２は該同期情報を受信した後に、ローカル現在システム時間を該同期情報に含まれるシステム時間として設置し、同時に、ローカルゲートウェイ１２は、該ローカルゲートウェイ１２に従属する各ジャンクションボックス１３へ該同期情報を送信する。ジャンクションボックス１３は、該同期情報を受信した後に、ローカル現在システム時間を該同期情報に含まれるシステム時間として設置する。上記同期プロセスによりすべてのジャンクションボックス１３、すべてのローカルゲートウェイ１２、セントラルコントローラー１１および外部制御システム間の時間同期が実現される。
【００５０】
上記ソーラーシステムの初期化配置プロセスによりソーラーシステムの自動配置、自動ネットワーキングおよび自動同期を実現することで、ローカルゲートウェイ１２、ジャンクションボックス１３がネットワーキングされて作動状態となり、オンサイトでの人手によるパラメータ配置およびネットワーク設置を避けて、リモートパラメータの初期化配置を実現し、ソーラーアセンブリ１０の大規模配置の問題を解決し、ソーラーシステムの組立自動化および組立効率が向上した。
【００５１】
図１に示したソーラーシステムに関して、上記ネットワーキング配置プロセスとの相違は、ネットワーク配置情報がセントラルコントローラー１１に対応するセントラルコントロール配置情報、および各ジャンクションボックス１３に対応するジャンクションボックス配置情報を含み、セントラルコントロール配置情報が、セントラルコントローラー１１と、ジャンクションボックス１３との間をネットワーキングするのに必要なネットワークパラメータを含むことにある。セントラルコントローラー１１は、セントラルコントロール配置情報に基づいて自身の初期化プロセスを完成し、各ジャンクションボックス１３に対応するジャンクションボックス配置情報を、各ジャンクションボックス１３へそれぞれ直接送信し、これにより、各ジャンクションボックス１３自身の配置プロセスを完成する。同期プロセスに関して、セントラルコントローラー１１は自身のシステム時間同期を完成すると同時に、同期情報を各ジャンクションボックス１３へ発する。ジャンクションボックス１３は、該同期情報を受信した後にローカル現在システム時間を該同期情報に含まれるシステム時間として設置する。上記同期プロセスを通じてすべてのジャンクションボックス１３およびセントラルコントローラー１１と外部制御システムとの間の時間同期が実現される。
【００５２】
ソーラーシステムの初期化が完成した後、外部制御システムを通じてソーラーシステムに対する自動制御が可能となる。外部制御システムはアセンブリ制御情報をセントラルコントローラー１１へ送信し、セントラルコントローラー１１は該アセンブリ制御情報を受信した後に、該アセンブリ制御情報に基づいて、ソーラーシステムに含まれるソーラーアセンブリ１０、ジャンクションボックス１３などのデバイスに対して相応の制御操作を行う。上記アセンブリ制御情報はアセンブリターンオフ命令、アセンブリクローズ命令、状態問合せ命令または異常検出命令などを含む。以下では、アセンブリ制御情報がそれぞれ異なる制御命令である場合を例として、具体的に説明する。
【００５３】
１、アセンブリ制御情報がアセンブリターンオフ命令である
（１）外部制御システムが消防システム２０である場合、ソーラーアセンブリ１０に対してターンオフ制御を行う。
【００５４】
本願の実施例が提供するソーラーシステムはＢＩＰＶ建物に応用でき、地震または建物に火災などが生じた場合にソーラーシステムが給電を持続すると、人が感電するリスクが生じ易い。このような危険を避けるために、消防システム２０は地震や火災などの危険な状況を検出したときに、アセンブリターンオフ命令をセントラルコントローラー１１へ送信する。該アセンブリターンオフ命令は消防標識を含み、該消防標識は予め合意した所定のキャラクター、または消防システムにおける消防制御デバイスのデバイス標識であってもよい。セントラルコントローラー１１は該アセンブリターンオフ命令を受信し、該アセンブリターンオフ命令に含まれる消防標識を識別する。その後、該アセンブリターンオフ命令に対応するターンオフ待ちアセンブリは、全部のソーラーアセンブリ１０であると確定する。太陽エネルーシステムがローカルゲートウェイ１２を含む場合、セントラルコントローラー１１は、各ローカルゲートウェイ１２へターンオフ指令を送信する。各ローカルゲートウェイ１２は該ターンオフ指令を自身に接続されたすべてのジャンクションボックス１３へ転送し、該ターンオフ指令を受信したすべてのジャンクションボックス１３は、それに接続されたすべてのソーラーアセンブリ１０を切断する。太陽エネルーシステムがローカルゲートウェイ１２を含まない場合、セントラルコントローラー１１は各ジャンクションボックス１３へターンオフ指令を送信し、該ターンオフ指令を受信したすべてのジャンクションボックス１３は、それに接続されたすべてのソーラーアセンブリ１０を切断する。
【００５５】
本願の実施例が提供するソーラーシステムは、さらに消防システム２０からのアセンブリターンオフ命令の実行優先度を最高として設置して、消防システム２０からのアセンブリターンオフ命令を受信したときに、すべてのソーラーアセンブリ１０を直ちにターンオフすることができ、地震や火災などの状況でソーラーシステムが漏電し、または人が感電するなどの危険な状況が生じるのを有効に防止する。
【００５６】
（２）外部制御システムがサーバまたはユーザ端末４０などのリモートデバイスである場合、ソーラーアセンブリ１０のターンオフ制御を行う。
【００５７】
ソーラーシステムのメンテナンスまたは建物表面工事などの場面で、全部または一部のソーラーアセンブリ１０のターンオフが必要とされる場合がある。これらの場面において、ユーザはサーバまたはユーザ端末４０などのリモートデバイスを通じてアセンブリターンオフ命令をセントラルコントローラー１１へ送信できる。該アセンブリターンオフ命令はターンオフ待ちアセンブリのアセンブリアドレスを含み、ターンオフ待ちアセンブリは、すなわち、ターンオフする必要のあるソーラーアセンブリ１０である。ソーラーシステムがローカルゲートウェイ１２を含む場合、アセンブリアドレスは、ソーラーアセンブリ１０とそれが所属するジャンクションボックスを接続するインタフェースアドレス、それが所属するジャンクションボックスアドレス、および該ジャンクションボックスが接続されたローカルゲートウェイのゲートウェイアドレスを含む。セントラルコントローラー１１は該アセンブリターンオフ命令を受信した後、該アセンブリターンオフ命令に含まれたアセンブリアドレスに基づいて、該アセンブリターンオフ命令に対応するターンオフ待ちアセンブリ、ターンオフ待ちアセンブリに接続されるジャンクションボックス１３、および確定されたジャンクションボックス１３に接続されたローカルゲートウェイ１２を確定する。セントラルコントローラー１１は、確定されたローカルゲートウェイ１２へターンオフ指令を送信し、該ターンオフ指令はターンオフ待ちアセンブリと確定されたジャンクションボックス１３とを接続するインタフェースアドレスを持つ。該ローカルゲートウェイ１２は、ターンオフ待ちアセンブリに接続されたジャンクションボックス１３へ該ターンオフ指令を転送する。該ジャンクションボックス１３は、該ターンオフ指令を受信した後、該ターンオフ指令が持つインタフェースアドレスに基づいて、ターンオフ待ちアセンブリとの間の電気接続を切断する。ソーラーシステムがローカルゲートウェイ１２を含まない場合、上記アセンブリアドレスは、ソーラーアセンブリ１０とそれが所属するジャンクションボックスを接続するインタフェースアドレス、およびそれが所属するジャンクションボックスアドレスを含む。セントラルコントローラー１１は、ターンオフ待ちアセンブリが所属するジャンクションボックスアドレスに基づいて、ターンオフ待ちアセンブリが所属するジャンクションボックス１３へターンオフ指令を送信し、該ジャンクションボックス１３は、該ターンオフ待ちソーラーアセンブリ１０との接続を切断する。
【００５８】
上記制御方法により、サーバまたは、ユーザ端末４０などのリモートデバイスを通じて、ソーラーシステムに含まれる全部のソーラーアセンブリ１０、または一部のソーラーアセンブリ１０をリモートターンオフできる。実際の応用においては、ターンオフするソーラーアセンブリ１０の規模を需要に応じて制御できる。
【００５９】
（３）セントラルコントローラー１１にローカル設定されたローカルターンオフボタンにより、ソーラーアセンブリ１０のターンオフ制御を行う。
【００６０】
セントラルコントローラー１１はローカルターンオフボタンをローカル設定し、火災または地震などの緊急災害が生じた場合、ユーザがローカルターンオフボタンを押すことにより、ソーラーアセンブリ１０のターンオフを制御することもできる。セントラルコントローラー１１はローカルターンオフボタンをリアルタイムモニタリングし、ローカルターンオフボタンにより誘発されたアセンブリターンオフイベントを検知したとき、該アセンブリターンオフイベントに対応するターンオフ待ちアセンブリは、全部のソーラーアセンブリ１０であると確定する。消防システム２０によるアセンブリターンオフ制御と同様、ソーラーシステムにローカルゲートウェイ１２が含まれる場合、セントラルコントローラー１１は、それぞれ各ローカルゲートウェイ１２を通じて、各ローカルゲートウェイ１２に接続されたすべてのジャンクションボックス１３へターンオフ指令を送信し、これにより、すべてのジャンクションボックス１３は、各自に接続されたすべてのソーラーアセンブリ１０を切断する。ソーラーシステムがローカルゲートウェイ１２を含まない場合、セントラルコントローラー１１は、各ジャンクションボックス１３へターンオフ指令を送信し、該ターンオフ指令を受信したすべてのジャンクションボックス１３は、それが接続するすべてのソーラーアセンブリ１０を切断する。
【００６１】
同様に、ローカルターンオフボタンに誘発されたアセンブリターンオフイベントの応答優先度を最高として設置することで、ローカルターンオフボタンに誘発されたアセンブリターンオフイベントを検知したときに、すべてのソーラーアセンブリ１０を直ちに切断し、地震や火災などの状況でソーラーシステムに漏電または人の感電などの危険な状況が生じるのを有効に防止する。
【００６２】
２、アセンブリ制御情報がアセンブリクローズ命令である
上記ターンオフ制御を行う度に、セントラルコントローラー１１は、ターンオフされたソーラーアセンブリ１０のアセンブリアドレスを記録し、ターンオフされたソーラーアセンブリ１０のアセンブリアドレスをサーバ、またはユーザ端末４０などの外部制御システムへアップロードする。地震、火災またはメンテナンス点検修理など、ソーラーアセンブリ１０のターンオフが必要とされる状況が終了した後、ユーザはサーバまたはユーザ端末４０などの外部制御システムを通じて、セントラルコントローラー１１へアセンブリクローズ命令を送信でき、該アセンブリクローズ命令はクローズ待ちアセンブリのアセンブリアドレスを含み、クローズ待ちアセンブリは、すなわち、接続を回復する必要のあるソーラーアセンブリ１０である。ソーラーシステムがローカルゲートウェイ１２を含む場合、アセンブリアドレスは、ソーラーアセンブリ１０とそれが所属するジャンクションボックスを接続するインタフェースアドレス、それが所属するジャンクションボックスアドレスおよび該ジャンクションボックスが接続されたローカルゲートウェイのゲートウェイアドレスを含む。セントラルコントローラー１１は、該アセンブリクローズ命令を受信した後、該アセンブリクローズ命令に含まれるアセンブリアドレスに基づいて、該アセンブリクローズ命令に対応するクローズ待ちアセンブリ、クローズ待ちアセンブリが所属するジャンクションボックス１３、および確定されたジャンクションボックス１３に接続されたローカルゲートウェイ１２を確定する。セントラルコントローラー１１は確定されたローカルゲートウェイ１２へクローズ指令を送信し、該クローズ指令はクローズ待ちアセンブリと確定されたジャンクションボックス１３を接続するインタフェースアドレスを持つ。該ローカルゲートウェイ１２は、該クローズ指令をクローズ待ちアセンブリが所属するジャンクションボックス１３へ転送する。該ジャンクションボックス１３は該クローズ指令を受信した後、該クローズ指令が持つインタフェースアドレスに基づいて、クローズ待ちアセンブリとの間の電気接続をターンオンし、これにより、ソーラーシステムの正常動作を回復し、発電量の損失を減少する。ソーラーシステムがローカルゲートウェイ１２を含まない場合、上記アセンブリアドレスは、ソーラーアセンブリ１０とそれが所属するジャンクションボックスを接続するインタフェースアドレス、およびそれが所属するジャンクションボックスアドレスを含む。セントラルコントローラー１１は、クローズ待ちアセンブリが所属するジャンクションボックスアドレスに基づいて、クローズ待ちアセンブリが所属するジャンクションボックス１３へクローズ指令を送信し、該ジャンクションボックス１３の該クローズ待ちのソーラーアセンブリ１０との接続をターンオンする。
【００６３】
上記制御方法により、サーバまたはユーザ端末４０などの外部制御システムを通じて、ソーラーシステムに含まれる全部のソーラーアセンブリ１０、一部のソーラーアセンブリ１０または単独のソーラーアセンブリ１０をリモートクローズできる。実際の応用においては、クローズされるソーラーアセンブリ１０の規模を需要に応じて制御できる。
【００６４】
３、アセンブリ状態データに対する問合せ制御
アセンブリ状態データはアセンブリ電圧、アセンブリ電流、ジャンクションボックスボードカード温度、アセンブリターンオフ／クローズ状態のうちの少なくとも１つを含む。ジャンクションボックス１３は、それに接続されたソーラーアセンブリ１０に対応するアセンブリ状態データを取得でき、取得したアセンブリ状態データを、該ジャンクションボックス１３に接続されたローカルゲートウェイ１２、またはセントラルコントローラー１１へ送信し、ローカルゲートウェイ１２またはセントラルコントローラー１１は、アセンブリ状態データを受信した後に該アセンブリ状態データを記憶する。
【００６５】
ユーザは、サーバまたはユーザ端末４０などの外部制御システムを通じて、状態問合せ命令をセントラルコントローラー１１へ送信でき、該状態問合せ命令は問合せ待ちアセンブリのアセンブリアドレスを含み、問合せ待ちアセンブリは、すなわち、アセンブリ状態データの問合せが必要とされるソーラーアセンブリ１０である。ソーラーシステムがローカルゲートウェイ１２を含む場合、セントラルコントローラー１１は該状態問合せ命令を受信した後、該状態問合せ命令に含まれたアセンブリアドレスに基づいて、状態問合せ命令に対応する問合せ待ちアセンブリ、問合せ待ちアセンブリの所属するジャンクションボックス１３、および確定されたジャンクションボックス１３に接続されたローカルゲートウェイ１２を確定し、確定されたローカルゲートウェイ１２を通じて、問合せ指令を問合せ待ちアセンブリの所属するジャンクションボックス１３へ送信し、該問合せ指令は、問合せ待ちアセンブリと確定されたジャンクションボックス１３を接続するインタフェースアドレスを持つ。ジャンクションボックス１３は該問合せ指令を受信した後、該問合せ指令に含まれるインタフェースアドレスに基づいて、問合せ待ちアセンブリのアセンブリ状態データを取得し、該アセンブリ状態データを上記ローカルゲートウェイ１２へ送信する。ローカルゲートウェイ１２は該アセンブリ状態データを記憶し、該アセンブリ状態データをセントラルコントローラー１１へアップロードする。ソーラーシステムにローカルゲートウェイ１２を含まない場合、セントラルコントローラー１１は該状態問合せ命令を受信した後、該状態問合せ命令に含まれるアセンブリアドレスに基づいて、状態問合せ命令に対応する問合せ待ちアセンブリ、問合せアセンブリの所属するジャンクションボックス１３を確定し、問合せ待ちアセンブリの所属するジャンクションボックス１３へ問合せ指令を送信し、該問合せ指令は、問合せ待ちアセンブリと確定されたジャンクションボックス１３を接続するインタフェースアドレスを含む。ジャンクションボックス１３は該問合せ指令を受信した後、該問合せ指令に含まれたインタフェースアドレスに基づいて、問合せ待ちアセンブリのアセンブリ状態データを取得し、該アセンブリ状態データをセントラルコントローラー１１へ送信する。セントラルコントローラー１１はアセンブリ状態データを受信した後、該アセンブリ状態データを外部制御システムへ送信する。
【００６６】
上記の問合せ制御方法により、サーバクラスター３０またはユーザ端末４０などの外部制御システムを通じて、ソーラーシステムにおける任意のソーラーアセンブリ１０のアセンブリ状態データをリモートに問合せできる。
【００６７】
外部制御システムからセントラルコントローラー１１へ状態問合せ命令を発してソーラーアセンブリ１０のアセンブリ状態データを取得するほか、図２に示したソーラーシステムにおいて、セントラルコントローラー１１は、各ローカルゲートウェイ１２から各ローカルゲートウェイ１２に従属するソーラーアセンブリ１０のアセンブリ状態データを周期的に取得し、取得したアセンブリ状態データをローカルデータベースに記憶し、アセンブリ状態データを外部制御システムへアップロードすることもできる。図１に示したソーラーシステムにおいて、セントラルコントローラー１１は、各ジャンクションボックス１３からソーラーアセンブリ１０のアセンブリ状態データを周期的に取得し、外部制御システムへ記憶しアップロードすることもできる。本願の実施例において、セントラルコントローラー１１は、ポーリングの方式で各ローカルゲートウェイ１２または各ジャンクションボックス１３からデータを取得でき、データ取得周期は需要に応じて柔軟に設置できる。ポーリングプロセスであるローカルゲートウェイ１２またはあるジャンクションボックス１３のデータ取得に失敗すると、セントラルコントローラー１１は、該ローカルゲートウェイ１２または該ジャンクションボックス１３のデータを取得し直し、異常報告を生成し、該異常報告を外部制御システムへアップロードする。また、図２に示したソーラーシステムにおいて、セントラルコントローラー１１は各ローカルゲートウェイ１２に溜った履歴データを周期的に問合せ、例えば、毎日一回問合せまたは毎週一回問合わせを行うなどして、問合わせた履歴データを外部制御システムへアップロードすることもできる。外部制御システムとセントラルコントローラー１１との通信接続を通じて、アセンブリ状態データの自動取得を実現し、ソーラーシステムのメンテナンスが便利になり、オンサイトで人手によりソーラーアセンブリ１０の状態データを検出する必要がなく、メンテナンス効率を向上させ、メンテナンスコストを低減した。
【００６８】
４、アセンブリ制御情報が異常検出命令である
セントラルコントローラー１１がサーバクラスター３０またはユーザ端末４０などの外部制御システムと通信接続されるので、ユーザは、サーバまたはユーザ端末４０などの外部制御システムを通じて、ソーラーシステムに含まれたソーラーアセンブリ１０のリモート異常検出を行うことができる。
【００６９】
ユーザは、サーバまたはユーザ端末４０などの外部制御システムを通じて、異常検出命令をセントラルコントローラー１１へ送信し、該異常検出命令は検出待ちアセンブリのアセンブリアドレスを含み、検出待ちアセンブリは、すなわち、異常検出を行う必要のあるソーラーアセンブリ１０である。図２に示したソーラーシステムにおいて、セントラルコントローラー１１は、該異常検出命令を受信した後、該異常検出命令に含まれるアセンブリアドレスに基づいて、異常検出命令に対応する検出待ちアセンブリ、検出待ちアセンブリの所属するジャンクションボックス１３、および所属するジャンクションボックス１３に接続されたローカルゲートウェイ１２を確定する。確定されたローカルゲートウェイ１２を通じて、検出指令を検出待ちアセンブリの所属するジャンクションボックス１３へ送信し、該検出指令は、検出待ちアセンブリと、それが所属するジャンクションボックス１３を接続するインタフェースアドレスを持つ。ジャンクションボックス１３は該検出指令を受信した後、該検出待ちアセンブリの異常検出を行い、これには、検出待ちアセンブリの電圧、電流および切断／クローズ状態などを検出することを含むが、これらに限定されない。ジャンクションボックス１３は、得られた異常検出結果を上記ローカルゲートウェイ１２へ送信する。ローカルゲートウェイ１２は、該異常検出結果をセントラルコントローラー１１へアップロードする。図１に示したソーラーシステムにおいて、セントラルコントローラー１１は該異常検出命令を受信した後、該異常検出命令に含まれるアセンブリアドレスに基づいて、異常検出命令に対応する検出待ちアセンブリおよび検出待ちアセンブリの所属するジャンクションボックス１３を確定する。検出待ちアセンブリと、それが所属するジャンクションボックス１３を接続するインタフェースアドレスを持つ検出指令を、検出待ちアセンブリの所属するジャンクションボックス１３へ送信する。ジャンクションボックス１３は該検出指令を受信した後に、該検出待ちアセンブリの異常検出を行い、得られた異常検出結果をセントラルコントローラー１１へ送信する。セントラルコントローラー１１は異常検出結果を受信した後に、該異常検出結果を外部制御システムへ送信する。
【００７０】
上記異常検出制御方法により、サーバまたはユーザ端末４０などの外部制御システムを通じてソーラーシステムにおける任意のソーラーアセンブリ１０の異常検出を行うことができる。
【００７１】
外部制御システムを通じてセントラルコントローラー１１へ異常検出命令を発して異常検出を行うほか、図２に示したソーラーシステムにおいて、セントラルコントローラー１１は、各ローカルゲートウェイ１２に関連付けられたソーラーアセンブリ１０の異常検出を周期的に行うこともできる。異常警報情報を検出した場合、該異常警報情報をローカルデータベースに記憶し、異常警報情報を外部制御システムへアップロードする。また、セントラルコントローラー１１もローカルゲートウェイ１２、ジャンクションボックス１３およびソーラーアセンブリ１０の異常検出を周期的に行い、およびセントラルコントローラー１１自身の異常自己検出を行い、検出された異常警報情報を外部制御システムへ報告する。異常警報情報はエラー情報、プロンプト情報、不法操作情報などを含んでもよい。図１に示したソーラーシステムにおいて、セントラルコントローラー１１は、さらに各ジャンクションボックス１３および各ジャンクションボックス１３に接続されたソーラーアセンブリ１０の異常検出を周期的に行い、および周期的に異常自己検出を行い、検出された異常警報情報を外部制御システムへ報告することができる。
【００７２】
セントラルコントローラー１１が異常警報情報をサーバへ報告すると、メンテナンス担当者が該異常警報情報を速みやかに取得するように、サーバは該異常警報情報をユーザ端末４０へ伝送することができる。セントラルコントローラー１１が異常警報情報を検出した時に、ローカル音声で警告、またはインジケーター点灯で警告するように、セントラルコントローラー１１は非常ベルまたはインジケーターなどの警報装置をローカルに設けてもよく、ローカル表示デバイスにより異常警報情報を表示することで、ローカルメンテナンス担当者が該異常警報情報を取得できるようにしてもよい。
【００７３】
上記異常検出制御を通じて、ソーラーアセンブリ１０、ローカルゲートウェイ１２、ジャンクションボックス１３およびセントラルコントローラー１１は、自身の各種異常状況を検出でき、人手によるオンサイト検出が必要でなく、ＢＩＰＶシステムアセンブリに対するオンサイト検出による高所墜落または感電などの人の安全リスクを防止し、システム検出の作業量、検出難度と複雑度を軽減し、かつ検出効率をより向上させ、リアルタイム性を一層強化した。
【００７４】
５、アセンブリ制御情報がデバイスメンテナンス命令である
ソーラーシステムにおいて、新規ローカルゲートウェイ１２の追加、新規ジャンクションボックス１３の追加、ローカルゲートウェイ１２の削除、ジャンクションボックス１３の削除、配置パラメータの更新などのシステムメンテナンス操作が生じた場合、外部制御システムを通じてリモートメンテナンス制御を行うことができる。例えば、ソーラーシステムにおいて、いくつかのローカルゲートウェイ１２またはジャンクションボックス１３に故障が生じて取り替えられた後、外部制御システムを通じて新しく取り替えられたローカルゲートウェイ１２、またはジャンクションボックス１３の自動配置を行うことができる。
【００７５】
新しく取り替えられたデバイスがローカルゲートウェイ１２である場合、ユーザ端末４０またはサーバなどの外部制御システムを通じて、デバイスメンテナンス命令をセントラルコントローラー１１へ送信し、該デバイスメンテナンス命令は、新しく取り替えられたローカルゲートウェイ１２のゲートウェイアドレスおよびゲートウェイ配置情報を含む。セントラルコントローラー１１は、該デバイスメンテナンス命令に含まれるゲートウェイアドレスに基づいて、ゲートウェイ配置情報を新しく取り替えられたローカルゲートウェイ１２へ送信する。新しく取り替えられたローカルゲートウェイ１２は、該ゲートウェイ配置情報に基づいて自動配置を完成する。
【００７６】
新しく取り替えられたデバイスがジャンクションボックス１３である場合、ユーザ端末４０またはサーバなどの外部制御システムを通じてデバイスメンテナンス命令をセントラルコントローラー１１へ送信する。該デバイスメンテナンス命令は、新しく取り替えられたジャンクションボックス１３のジャンクションボックスアドレス、およびジャンクションボックス配置情報を含む。セントラルコントローラー１１は、該デバイスメンテナンス命令に含まれるジャンクションボックスアドレスに基づいて、該ジャンクションボックス１３の所属するローカルゲートウェイ１２を確定し、ジャンクションボックス配置情報を確定されたローカルゲートウェイ１２へ送信する。該ローカルゲートウェイ１２は、該ジャンクションボックス配置情報を新しく取り替えられたジャンクションボックス１３へ送信する。新しく取り替えられたジャンクションボックス１３は、該ジャンクションボックス配置情報に基づいて自動配置を完成する。
【００７７】
上記ではいくつかの制御機能のみを例示的に列挙したが、ソーラーシステムに含まれるソーラーアセンブリ１０、ジャンクションボックス１３、ローカルゲートウェイ１２およびセントラルコントローラー１１に対する外部制御システムのリモート制御はこれらに限定されない。
【００７８】
セントラルコントローラー１１はインターネットを経由して、ユーザ端末４０またはサーバクラスター３０などのリモート制御システムに接続されるため、ソーラーシステムにもハッカー攻撃やネットワークウイルス侵入などに襲われるネットワークリスクがある。これらのネットワークリスクに対応するために、セントラルコントローラー１１のローカルにネットワーク切替えボタンを設置し、ネットワークリスクが生じた場合、ユーザはネットワーク切替えボタンを押してソーラーシステムとリモート制御システムとの通信接続を切断することによって、ソーラーシステムがネットワークリスクに襲われるのを防止するという目的を達することができる。セントラルコントローラー１１はネットワーク切替えボタンをリアルタイムモニタリングし、ネットワーク切替えボタンに誘発されたリモート切断イベントを検知した場合、リモート制御システムとの通信接続を切断する。ネットワークリスクが解除された後、ユーザはネットワーク切替えボタンを再度押して、ソーラーシステムとリモート制御システムとの通信接続を回復できる。セントラルコントローラー１１がネットワーク切替えボタンに誘発されたリモート起動イベントを検知した場合、リモート制御システムとの通信接続を回復する。ネットワーク切替えボタンの設置によりローカル／リモート制御の切替え機能を実現し、ネットワークリスクがリモート制御システムを通じてソーラーシステムに侵入することが防止され、ソーラーシステムの安全性と信頼性が向上する。
【００７９】
セントラルコントローラー１１はインターネット経由でサーバクラスター３０と通信接続され、サーバとの正常通信を確保するためサーバで識別認証を自動的に完成できる。また、セントラルコントローラー１１は、インターネット経由でサーバクラスター３０またはユーザ端末４０へデータを送信する前に、まずはデータを暗号化してからデータ伝送を行ってもよい。これに応じて、外部制御システムも暗号化データをセントラルコントローラー１１へ送信し、セントラルコントローラー１１は暗号化データを受信した後、まず復号化作業を行うことができる。このように、データ伝送プロセスにおけるデータの安全性を向上でき、ネットワークリスクが外部制御システムを通じて、ソーラーシステムに侵入するのがさらに防止され、ソーラーシステムの安全性と信頼性が向上する。
【００８０】
本願の実施例において、セントラルコントローラー１１はさらに表示デバイスをローカルに設置し、システム状態情報、警報情報、ログ情報、バージョン情報などを表示する。そのうち、システム状態情報はゲートウェイ数、ジャンクションボックス数、ゲートウェイ／ジャンクションボックスのオンラインまたはオフライン状態、アセンブリのターンオフ／クローズ状態などの統計情報を含む。セントラルコントローラー１１において、モジュール分離型設計を表示し、需要に応じてロードするか否かを選択でき、かつセントラルコントローラー１１にセントラルコントローラー１１の作動状態を表示するための状態インジケーターを配置する。
【００８１】
セントラルコントローラー１１に設置されたローカルデータベースはアセンブリ状態データ、異常警報情報、ログ情報、システムパラメータ情報などを記憶するのに用いられ、該データベースの設計により組込み式設計に基づく、セントラルコントローラー１１の限られた記憶資源を節約し、有効なフィールドインデックスの追加によりデータベース問合せ速度を向上でき、ユーザの問合せ体験はより優れたものとなる。
【００８２】
本願実施例において、セントラルコントローラー１１を通じてソーラーシステムと外部制御システムとを接続し、ユーザ端末４０またはサーバなどの外部制御システムを通じて、ソーラーシステムに含まれる各アセンブリデバイスに対するリモート配置、同期、ネットワーキング、メンテナンスなどを実現し、ＢＩＰＶ建物におけるソーラーシステムのリモート制御とリモートモニタリングを実現し、ソーラーシステムの安全性、安定性と信頼性を強化する。アセンブリ状態データの自動取得およびリモート異常検出により、人手によるオンサイトでのメンテナンス検査を減らし、人の高所墜落または感電などの安全リスク問題を避ける。その上、セントラルコントローラー１１と消防システム２０との通信接続により、火災または地震などの不測の状況が生じた場合に、消防システム２０によりソーラーシステムに含まれるソーラーアセンブリ１０のターンオフを制御して、ソーラーシステムの高電圧に起因する人の感電傷害を避け、ソーラー製品の安全性能を向上させる。
【００８３】
本願の別の実施例ではソーラーシステム制御方法を提供する。該制御方法のベースとなるソーラーシステムは図１または図２に示すものであり、該方法の実行主体は、上記第１の実施例が提供するソーラーシステムに含まれるセントラルコントローラー１１である。図４に示すように、該方法は以下のステップを具体的に含む。
【００８４】
ステップ１０１：セントラルコントローラー１１は外部制御システムが送信するアセンブリ制御情報を受信する。
【００８５】
上記外部制御システムはリモート制御システムとローカル制御システムとを含む。そのうち、リモート制御システムはインターネット経由で接続される必要のあるシステムであり、例えば、サーバクラスター３０、ユーザ端末４０などである。ローカル制御システムは、該ソーラーシステムを取り付ける場所自体が備えるシステムであり、例えば、消防システム２０、モニタリングシステムなどである。サーバクラスター３０は、イーサネットにより接続された複数の物理サーバからなってもよく、クラウドサーバの形で実現されてもよい。アセンブリ制御情報はアセンブリターンオフ命令、アセンブリクローズ命令、状態問合せ命令、異常検出命令などであってもよい。
【００８６】
ステップ１０２：セントラルコントローラー１１はアセンブリ制御情報に基づいて、ジャンクションボックス１３に接続されたソーラーアセンブリ１０に対してアセンブリ制御情報に対応する制御操作を実行する。
【００８７】
本ステップは、具体的に以下のＡ１とＡ２の２つサブステップにより制御操作を実行できる。
【００８８】
Ａ１：セントラルコントローラー１１は該アセンブリ制御情報を解析し、該アセンブリ制御情報に対応する制御待ちアセンブリを確定する。
【００８９】
上記アセンブリ制御情報に制御待ちアセンブリのアセンブリアドレスを含み、ソーラーシステムがローカルゲートウェイ１２を含む場合、上記アセンブリアドレスは、ソーラーアセンブリ１０とそれが所属するジャンクションボックスを接続するインタフェースアドレス、それが所属するジャンクションボックスアドレス、および該ジャンクションボックスに接続されたローカルゲートウェイのゲートウェイアドレスを含む。ソーラーシステムがローカルゲートウェイ１２を含まない場合、該アセンブリ制御情報が消防システム２０から送信された場合、該アセンブリ制御情報はさらに消防標識を含み、該消防標識は予め合意された所定のキャラクターまたは消防システムにおける消防制御デバイスのデバイス標識を含んでもよい。
【００９０】
セントラルコントローラー１１は該アセンブリ制御情報を受信した後、アセンブリ制御情報を解析し、該アセンブリ制御情報が消防標識を含むと解析されたら、制御待ちアセンブリが全部のソーラーアセンブリ１０であると確定する。アセンブリ制御情報が消防標識を含まないと確定されたら、アセンブリ制御情報に含まれるアセンブリアドレスに基づいて、アセンブリ制御情報に対応する制御待ちアセンブリ、制御待ちアセンブリに接続されたジャンクションボックス１３を確定する。ソーラーシステムがローカルゲートウェイ１２を含む場合、アセンブリアドレスに基づいて、上記確定されたジャンクションボックス１３に接続されたローカルゲートウェイ１２をさらに確定する。
【００９１】
Ａ２：セントラルコントローラー１１は、制御待ちアセンブリに接続されたジャンクションボックス１３を通じて、制御待ちアセンブリに対しアセンブリ制御情報に対応する制御操作を実行する。
【００９２】
ソーラーシステムがローカルゲートウェイ１２を含む場合、セントラルコントローラー１１は上記確定されたローカルゲートウェイ１２へ制御指令を送信し、該制御指令は制御待ちアセンブリと確定されたジャンクションボックス１３を接続するインタフェースアドレスを持つ。該ローカルゲートウェイ１２は該制御指令を制御待ちアセンブリの所属するジャンクションボックス１３へ転送する。該ジャンクションボックス１３は該制御指令を受信した後、該制御指令が持つインタフェースアドレスに基づいて、制御待ちアセンブリに対して相応の制御操作を実行する。ソーラーシステムがローカルゲートウェイ１２を含まない場合、セントラルコントローラー１１は上記確定されたジャンクションボックス１３へ制御指令を送信し、該制御指令は制御待ちアセンブリと確定されたジャンクションボックス１３を接続するインタフェースアドレスを持つ。該ジャンクションボックス１３は該制御指令を受信した後、該制御指令が持つインタフェースアドレスに基づいて、制御待ちアセンブリに対し相応の制御操作を実行する。
【００９３】
本願の実施例において、アセンブリ制御情報は、アセンブリターンオフ命令、アセンブリクローズ命令、状態問合せ命令、異常検出命令などである。
【００９４】
以下では、アセンブリ制御情報がアセンブリターンオフ命令である状況について具体的に説明する。
【００９５】
セントラルコントローラー１１はアセンブリターンオフ命令を受信したときに、アセンブリターンオフ命令に基づいて、アセンブリターンオフ命令に対応するターンオフ待ちアセンブリを確定し、ソーラーシステムがローカルゲートウェイ１２を含む場合、ターンオフ待ちアセンブリに関連付けられたローカルゲートウェイ１２を通じて、ターンオフ待ちアセンブリに接続されたジャンクションボックス１３へターンオフ指令を送信し、これにより、該ジャンクションボックス１３のターンオフ待ちアセンブリとの接続をターンオフする。ソーラーシステムがローカルゲートウェイ１２を含まない場合、ターンオフ待ちアセンブリに接続されたジャンクションボックス１３へターンオフ指令を直接送信し、これにより、該ジャンクションボックス１３のターンオフ待ちアセンブリとの接続を切断する。
【００９６】
また、アセンブリターンオフ命令は消防システム２０、ユーザ端末４０またはサーバクラスター３０などをソースとする可能性がある。以下、アセンブリターンオフ命令が消防システム２０をソースとする場合について具体的に説明する。
【００９７】
通常、火災または地震などの災害が生じたときに、はじめて消防システム２０はアセンブリターンオフ命令をセントラルコントローラー１１へ送信し、火災または地震などの災害下でソーラーシステムの高電圧は、人の感電や災害の悪化をもたらしやすいので、消防システム２０から発されたアセンブリターンオフ命令の実行優先度を最高優先度として設置し、かつ消防システム２０から発されたアセンブリターンオフ命令に対応するターンオフ待ちアセンブリは、ソーラーシステムに含まれた全部のソーラーアセンブリ１０であると予め設置する。図５のように、以下のステップ２０１〜２０３の操作により消防システム２０のソーラーアセンブリ１０に対するターンオフ制御を実現し、具体的に以下を含む。
【００９８】
ステップ２０１：セントラルコントローラー１１は消防システム２０からのアセンブリターンオフ命令を受信する。
【００９９】
ステップ２０２：セントラルコントローラー１１はアセンブリターンオフ命令に含まれる消防標識に基づいて、アセンブリターンオフ命令に対応するターンオフ待ちアセンブリは全部のソーラーアセンブリ１０であると確定する。
【０１００】
ステップ２０３：すべてのジャンクションボックス１３が各自に接続するすべてのソーラーアセンブリ１０を切断するよう、セントラルコントローラー１１はターンオフ命令をすべてのジャンクションボックス１３へ送信する。
【０１０１】
ソーラーシステムがローカルゲートウェイ１２を含む場合、セントラルコントローラー１１は各ローカルゲートウェイ１２を通じて、各ローカルゲートウェイ１２に接続されたすべてのジャンクションボックス１３へターンオフ指令をそれぞれ送信し、これにより、すべてのジャンクションボックス１３は、各自に接続されたすべてのソーラーアセンブリ１０を切断する。ソーラーシステムがローカルゲートウェイ１２を含まない場合、すべてのジャンクションボックス１３が各自に接続されたすべてのソーラーアセンブリ１０を切断するよう、セントラルコントローラー１１はターンオフ指令をすべてのジャンクションボックス１３へ直接送信する。
【０１０２】
消防システム２０の上記ターンオフ制御により、地震または火災などの状況でソーラーシステムの漏電または人の感電などが生じるリスクを有効に避けられる。
【０１０３】
アセンブリターンオフ命令のソースがユーザ端末４０、サーバクラスター３０などのリモート制御システムであり、アセンブリ制御情報がアセンブリクローズ命令、状態問合せ命令、異常検出命令、ネットワーキング配置、同期命令、デバイスメンテナンス命令などである場合、セントラルコントローラー１１を通じたソーラーアセンブリ１０に対する制御方法は第１の実施例に述べた制御方法と同じであり、ここでは繰り返さない。
【０１０４】
本願実施例では、セントラルコントローラー１１を通じてソーラーシステムと外部制御システムとを接続し、ユーザ端末４０またはサーバクラスター３０などのリモート制御システムを通じて、ソーラーシステムに含まれる各アセンブリデバイスに対するリモート配置、同期、ネットワーキング、メンテナンスなどを実現し、ＢＩＰＶ建物におけるソーラーシステムのリモート制御とリモートモニタリングを実現し、ソーラーシステムの安全性、安定性と信頼性を強化する。アセンブリ状態データの自動取得、およびリモート異常検出により、人手によるオンサイトでのメンテナンス検査を減らし、人の高所墜落または感電などの安全リスク問題を避ける。その上、セントラルコントローラー１１と消防システム２０との通信接続により、火災または地震などの不測の状況が生じた場合に、消防システム２０によりソーラーシステムに含まれるソーラーアセンブリ１０のターンオフを制御して、ソーラーシステムの高電圧に起因する人の感電傷害を避け、ソーラー製品の安全性能を向上させる。
【０１０５】
図６に示すように、本願の実施例はソーラーシステム制御装置を提供し、該装置は上記第２の実施例が提供する制御方法を実行するのに用いられる。該装置は具体的に、
外部制御システムから送信されたアセンブリ制御情報を受信する受信モジュール３０と、
アセンブリ制御情報に基づいて、ジャンクションボックス１３に接続されたソーラーアセンブリ１０に対してアセンブリ制御情報に対応する制御操作を実行する実行制御モジュール３１と、を含む。
【０１０６】
上記実行制御モジュール３１は、アセンブリ制御情報を解析し、アセンブリ制御情報に対応する制御待ちアセンブリを確定し、制御待ちアセンブリに関連付けられたジャンクションボックス１３を通じて制御待ちアセンブリに対し、アセンブリ制御情報に対応する制御操作を実行する。
【０１０７】
本願の実施例において、アセンブリ制御情報は、ソーラーアセンブリに対するアセンブリターンオフ命令、アセンブリクローズ命令、状態問合せ命令または異常検出命令を含む。
【０１０８】
アセンブリ制御情報がアセンブリターンオフ命令である場合、実行制御モジュール３１は、アセンブリターンオフ命令に基づいて、アセンブリターンオフ命令に対応するターンオフ待ちアセンブリを確定し、ターンオフ待ちアセンブリに接続されたジャンクションボックス１３へターンオフ指令を送信することより、該ジャンクションボックス１３のターンオフ待ちアセンブリとの接続を切断するのに用いられる。
【０１０９】
外部制御システムが消防システムである場合、上記アセンブリターンオフ命令は消防標識を含み、これに応じて、図７に示すように、実行制御モジュール３１は、消防標識に基づいてアセンブリターンオフ命令に対応するターンオフ待ち、アセンブリは全部のソーラーアセンブリ１０であると確定するのに用いられるアセンブリ確定ユニット３１１と、
すべてのジャンクションボックス１３が各自に接続されたすべてのソーラーアセンブリ１０を切断するよう、ターンオフ指令をすべてのジャンクションボックス１３へ送信するのに用いられる消防ターンオフユニット３１２と、を含む。
【０１１０】
本願の実施例において、該装置はさらに、ローカルターンオフボタンをリアルタイムモニタリングするのに用いられるボタンターンオフモジュールを含み、ローカルターンオフボタンに誘発されたアセンブリターンオフイベントを検知したとき、すべてのジャンクションボックス１３が各自に接続されたすべてのソーラーアセンブリ１０を切断するよう、ターンオフ指令をすべてのジャンクションボックス１３へ送信する。
【０１１１】
アセンブリ制御情報がアセンブリクローズ命令である場合、実行制御モジュール３１は、アセンブリクローズ命令に基づいて、アセンブリクローズ命令に対応するクローズ待ちアセンブリを確定し、クローズ待ちアセンブリの所属するジャンクションボックス１３へクローズ指令を送信することより、該ジャンクションボックス１３のクローズ待ちアセンブリとの接続をターンオンするのに用いられる。
【０１１２】
アセンブリ制御情報が状態問合せ命令である場合、実行制御モジュール３１は、状態問合せ命令に基づいて、状態問合せ命令に対応する問合せ待ちアセンブリを確定し、問合せ待ちアセンブリに関連付けられたジャンクションボックス１３から問合せ待ちアセンブリに対応するアセンブリ状態データを取得し、外部制御システムへアセンブリ状態データを送信するのに用いられる。
【０１１３】
本願の実施例において、該装置は各ジャンクションボックス１３からアセンブリ状態データを周期的に取得するのに用いられ、アセンブリ状態データをローカルデータベースに記憶し、アセンブリ状態データを外部制御システムへアップロードするデータ取得モジュールをさらに含む。
【０１１４】
アセンブリ制御情報が異常検出命令である場合、実行制御モジュール３１は、異常検出命令に基づいて、異常検出命令に対応する検出待ちアセンブリを確定し、検出待ちアセンブリに接続されたジャンクションボックス１３へ検出指令を送信することにより該ジャンクションボックス１３が検出待ちアセンブリの異常検出を行い、検出待ちアセンブリに接続されたジャンクションボックス１３から異常検出結果を取得し、異常検出結果を外部制御システムへ送信するのに用いられる。
【０１１５】
該装置は、各ジャンクションボックス１３に接続されたソーラーアセンブリ１０の異常検出を周期的に行い、異常警報情報を検出した場合、異常警報情報をローカルデータベースに記憶し、異常警報情報を外部制御システムへアップロードするのに用いられる異常パトロールモジュールをさらに含む。
【０１１６】
本願の実施例において、外部制御システムはリモート制御システムを含み、該装置は、ネットワーク切替えボタンをリアルタイムモニタリングするのに用いられ、ネットワーク切替えボタンに誘発されたリモートターンオフイベントを検知したとき、リモート制御システムとの通信接続を切断し、ネットワーク切替えボタンに誘発されたリモート起動イベントを検知したとき、リモート制御システムとの通信接続を回復するネットワーク切り替えモジュールをさらに含む。
【０１１７】
該装置は、外部制御システムから送信されたネットワーク配置情報と同期情報を受信するのに用いられ、ネットワーク配置情報に基づいてネットワーキング配置を行い、同期情報に基づいて外部制御システムと同期させる配置同期モジュールをさらに含む。
【０１１８】
本願の実施例において、ソーラーシステムがローカルゲートウェイ１２を含む場合、セントラルコントローラー１１は、ローカルゲートウェイ１２を通じて制御命令をジャンクションボックス１３に送信する。ソーラーシステムがローカルゲートウェイ１２を含まない場合、セントラルコントローラー１１はジャンクションボックス１３に制御命令を直接送信する。
【０１１９】
ソーラーシステムがローカルゲートウェイ１２を含む場合、上記ネットワーク配置モジュールはネットワーク配置情報に基づいて、ローカルゲートウェイ１２との通信接続を構築するのに用いられ、ネットワーク配置情報からローカルゲートウェイ１２に対応するゲートウェイ配置情報、およびローカルゲートウェイ１２に接続されたジャンクションボックス１３に対応するジャンクションボックス配置情報を解析し、配置およびジャンクションボックス配置情報をローカルゲートウェイ１２に送信する。
【０１２０】
ソーラーシステム制御装置は第１の実施例におけるソーラーシステム制御方法に記載したような相応する具体的な構造と作動プロセスを有すると理解すべきであり、ここでは詳しく繰り返さない。
【０１２１】
本願実施例において、該制御装置を通じてソーラーシステムを外部制御システムに接続し、ユーザ端末４０またはサーバクラスター３０などのリモート制御システムを通じてソーラーシステムに含まれる各アセンブリデバイスに対するリモート配置、同期、ネットワーキング、メンテナンスなどを実現し、ＢＩＰＶ建物におけるソーラーシステムのリモート制御とリモートモニタリングを実現し、ソーラーシステムの安全性、安定性と信頼性を強化する。アセンブリ状態データの自動取得およびリモート異常検出により、人手によるオンサイトでのメンテナンス検査を減らし、人の高所墜落または感電などの安全リスク問題を避ける。その上、該制御装置を消防システム２０と通信接続することにより、火災または地震などの不測の状況が生じた場合に消防システム２０により、ソーラーシステムに含まれるソーラーアセンブリ１０のターンオフを制御して、ソーラーシステムの高電圧に起因する人の感電傷害を避け、ソーラー製品の安全性能を向上させる。
【０１２２】
本願の別の実施例は、プロセッサとメモリを含むセントラルコントローラーを提供し、該メモリには少なくとも１つの実行可能指令を記憶し、実行可能指令を上記プロセッサによりロードし実行することで、上記第１の実施例が提供するソーラーシステム制御方法により実行される操作を実現し、セントラルコントローラーを通じてソーラーシステムに含まれる各アセンブリデバイスに対するリモート配置、同期、ネットワーキング、メンテナンスなどを実現し、ＢＩＰＶ建物におけるソーラーシステムのリモート制御とリモートモニタリングを実現し、ソーラーシステムの安全性、安定性と信頼性を強化する。アセンブリ状態データの自動取得およびリモート異常検出により、人手によるオンサイトでのメンテナンス検査を減らし、人の高所墜落または感電などの安全リスク問題を避ける。また、該セントラルコントローラーを消防システム２０と通信接続することにより、火災または地震などの不測の状況が生じた場合に消防システム２０により、ソーラーシステムに含まれるソーラーアセンブリ１０のターンオフを制御して、ソーラーシステムの高電圧に起因する人の感電傷害を避け、ソーラー製品の安全性能を向上させる。
【０１２３】
そのうち、プロセッサは汎用中央処理装置（ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、デジタルシグナルプロセッサ（ＤＳＰ）、デジタルシグナル処理デバイス（ＤＳＰＤ）、プログラマブル・ロジック・デバイス（ＰＬＤ）、フィールド・プログラマブル・ゲート・アレイ（ＦＰＧＡ）、コントローラー、マイクロコントローラー、またはプログラム実行を制御するための複数の集積回路を含んでもよい。メモリはリードオンリーメモリ（Ｒｅａｄ−Ｏｎｌｙ  Ｍｅｍｏｒｙ，ＲＯＭ）または静的情報と指令を記憶できるその他類型の静的記憶装置、ランダムアクセスメモリ（Ｒａｎｄｏｍ  Ａｃｃｅｓｓ  Ｍｅｍｏｒｙ，ＲＡＭ）または情報と指令を記憶できるその他類型の動的記憶装置を含んでもよいし、エレクトリカリー・イレーサブル・アンド・プログラマブル・リードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ，ＥＥＰＲＯＭ（登録商標））、コンパクトディスクリードオンリーメモリー（Ｃｏｍｐａｃｔ  Ｄｉｓｃ  Ｒｅａｄ−Ｏｎｌｙ  Ｍｅｍｏｒｙ，ＣＤ−ＲＯＭ）、またはその他の光磁気ディスクストレージ、光ディスクストレージ（コンパクトディスク、レーザーディスク（登録商標）、光ディスク、デジタル多目的ディスク、ブルーレイディスクなど）、ディスク記憶媒体またはその他の磁気記憶デバイス、または指令やデータ構造の形式を有する望ましいプログラムコードを携帯または記憶できかつコンピュータによりアクセス可能なその他全ての媒体を含んでもよいが、これらに限定されない。メモリは独立に設置されてもよいし、プロセッサと統合されてもよい。
【０１２４】
本願の別の実施例が提供するコンピュータ記憶媒体は、上記第１の実施例が提供するソーラーシステム制御方法に使用されるコンピュータソフトウェア指令を記憶し、上記制御方法の実施例を実行するために設計されたプログラムを含む。記憶されたプログラムを実行することにより、第１の実施例が提供する制御方法を実現でき、ソーラーシステムのリモート配置、同期、ネットワーキング、メンテナンスなどを実現し、ソーラーシステムの安全性、安定性と信頼性を強化する。アセンブリ状態データの自動取得およびリモート異常検出により、人手によるオンサイトでのメンテナンス検査を減らし、人の高所墜落または感電などの安全リスク問題を避ける。その上、該セントラルコントローラーを消防システム２０と通信接続することにより、火災または地震などの不測の状況が生じた場合に、消防システム２０によりソーラーシステムに含まれるソーラーアセンブリ１１のターンオフを制御して、ソーラーシステムの高電圧に起因する人の感電傷害を避け、ソーラー製品の安全性能を向上させる。
【０１２５】
上記は本願の望ましい実施例に過ぎず、本願を限定するものでない。本願の主旨と原則の範囲で行われた修正、均等な置換、改善などはいずれも本願の請求範囲に含まれる。
【図１】
2019213439.tif 000003
【図２】
2019213439.tif 000004
【図３】
2019213439.tif 000005
【図４】
2019213439.tif 000006
【図５】
2019213439.tif 000007
【図６】
2019213439.tif 000008
【図７】
2019213439.tif 000009